(57)【要約】【課題】包装袋自体の置き方に制約を設けることなく、通気を行うことが可能な自動通気包装袋を提供する。【解決手段】袋状本体１０を構成する上面部１１と下面部１２との間の中間部１３に自動通気部２０を設けた包装袋であって、自動通気部は、単一のフィルム１０Ｆによって折り重ねられた第１辺部２１及び第２辺部２２からなる折重ね部２３を有し、折重ね部を閉塞するイージーピール性樹脂フィルムからなる封止部材４０を配置すると共に、第１辺部及び第２辺部ならびに封止部材を一体にヒートシールして折重ねヒートシール部３１を成し、この折重ねヒートシール部を貫通する通気孔２５を包装袋内の内容物Ｃの加熱時間に応じた位置として穿設する。【選択図】図２
2006199373.tif 000002
【特許請求の範囲】
【請求項１】
袋状本体を構成する上面部と下面部との間の中間部に自動通気部を設けた包装袋であって、
前記自動通気部は、単一のフィルムによって折り重ねられた第１辺部及び第２辺部からなる折重ね部を有し、前記折重ね部を閉塞する封止部材が配置されていると共に、前記第１辺部及び第２辺部ならびに封止部材は一体にヒートシールされて折重ねヒートシール部を成し、前記折重ねヒートシール部を貫通する通気孔が穿設されていることを特徴とする自動通気包装袋。
【請求項２】
袋状本体を構成する上面部と下面部との間の中間部に自動通気部を設けた包装袋であって、
前記自動通気部は、単一のフィルムからなると共に、外第１辺部及び内第１辺部からなる第１辺部と外第２辺部及び内第２辺部からなる第２辺部により形成され、前記上面部側から前記下面部側に向けて順に前記外第１辺部、前記内第１辺部、前記内第２辺部、前記外第２辺部とする断面視略Ｗ字形状を成して折り重ねられ、前記内第１辺部及び前記内第２辺部からなる折重ね部を有しており、
前記折重ね部を閉塞する封止部材が配置されていると共に、前記内第１辺部及び前記内第２辺部ならびに封止部材は一体にヒートシールされて折重ねヒートシール部を成し、
前記折重ねヒートシール部を貫通する通気孔が穿設され、
前記折重ねヒートシール部は前記上面部と前記下面部との間に折り込みヒートシール部によりヒートシールされている
ことを特徴とする自動通気包装袋。
【請求項３】
前記折り込みヒートシール部の近傍の前記折重ねヒートシール部に切取り部が設けられている請求項２に記載の自動通気包装袋。
【請求項４】
前記折り込みヒートシール部には、前記折重ねヒートシール部方向に伸長する補強ヒートシール部が設けられている請求項２又は３に記載の自動通気包装袋。
【請求項５】
前記上面部及び前記下面部と前記中間部が単一のフィルムからなる請求項１ないし４のいずれか１項に記載の自動通気包装袋。
【請求項６】
前記上面部と、前記下面部と、前記中間部が別体のフィルムから形成され、前記上面部及び前記中間部ならびに前記下面部及び前記中間部がヒートシールされて一体化されている請求項１ないし４のいずれか１項に記載の自動通気包装袋。
【請求項７】
前記封止部材がイージーピール性樹脂フィルムである請求項１ないし６のいずれか１項に記載の自動通気包装袋。
【請求項８】
前記通気孔を穿設する位置が、前記包装袋内の内容物の加熱時間に応じて前記折重ねヒートシール部内で規定される請求項１ないし７のいずれか１項に記載の自動通気包装袋。
【発明の詳細な説明】
【技術分野】
【０００１】
本発明は、自動通気包装袋に関し、特に包装袋ごと内容物を加熱する際に、内容物から発生する水蒸気を自動的に排気して、包装袋の破裂を防ぐ自動通気包装袋に関する。
【背景技術】
【０００２】
近年、食事の支度を簡素化する目的から、調理済みもしくは途中まで調理済みの加工食品が広汎に流通されるようになっている。このような調理済み食品は、流通の利便性から種々の樹脂フィルムから成る容器、包装袋等に封入され、提供されている。今日、調理済み食品は、電子レンジ（高周波レンジ）によって最終的な調理が行われることが多い、そこで食品包装の樹脂フィルム容器においても電子レンジ加熱に対応すべく耐熱性能、耐圧性能が高められている。
【０００３】
電子レンジ加熱を行う場合、食品等の内容物から蒸発に伴って発生する水蒸気により容器は膨張する。しかし、膨張にも限界がある。容器、包装袋において、一定限度の内圧に達すると、容器（包装袋）が破裂し、大変危険である。同時に電子レンジ内を汚してしまう。
【０００４】
従前、水蒸気による破裂を防ぐために、利用者が加熱前に容器（包装袋）に穴を開けなければならず手間を要していた。また、予め穴が設けられた容器（包装袋）も存在するものの、容器自体の気密性は良好とは言えず、主に冷凍食品等の包装に限られている。
【０００５】
そこで、容器自体の気密性を高めると共に、予め水蒸気の逃げ道を確保すべく、容器、包装袋の一部に自動通気部を備えた包装袋が提案されている（特許文献１参照）。特許文献１の包装袋においては、図１６に示すとおり、包装袋５００の一部に自動通気部５０１が設けられ、この自動通気部のヒートシール強度を調整することにより、自動通気部を経由して充満した水蒸気が放出させられる。図中、符号Ｃは食品、Ｖｐは水蒸気、５０２は包装袋を形成するフィルムである。
【０００６】
また、自動通気部からのヒートシール強度の調整を容易とすべくイージーピール性樹脂（イージーオープン性樹脂）を介在させてヒートシールした包装袋も提案されている（特許文献２参照）。特許文献２の包装袋においては、図１７に示すとおり、包装袋５１０の辺部５１１にイージーピール性樹脂５１４が介装されていると共に、前記の辺部５１１に通気孔５１５が設けられて双方とも一体にヒートシールされ、自動通気部５２０として形成されている。イージーピール性樹脂５１４によるヒートシール部分（自動通気部５２０）は他の箇所と比して剥離し易いため、水蒸気による膨張圧を受けて最初に剥離可能となる。この結果、通気孔から水蒸気は放出され、包装袋の破裂は回避される。
【０００７】
これまでに述べた特許文献１もしくは特許文献２のいずれの包装袋においても、その構造から自明なとおり、電子レンジ（高周波レンジ）により加熱を行う際、包装袋の置き方に注意を要する。すなわち、包装袋における自動通気部を下向きに載置してはならないことである。自動通気部を下向きに載置することによって内容物により自動通気部が塞がれ、本来の水蒸気を放出する機能が果たされななくなるためである。
【０００８】
この点について、自立状態とする包装袋（特許文献３参照）も提案されている。しかしながら、加熱調理に用いる電子レンジ（高周波レンジ）の大きさいかんによっては、従前の特許文献１もしくは特許文献２の包装袋と同様に横置きとしなければならない場合もある。ゆえに、破裂を防ぐためには置き方（上下関係）に常に慎重さを要する。
【特許文献１】特開平９−１５０８６４号公報
【特許文献２】特開２０００−１５９２７６号公報
【特許文献３】特開２０００−１８５７７７号公報
【発明の開示】
【発明が解決しようとする課題】
【０００９】
本発明は前記の点に鑑みなされたものであり、包装袋自体の置き方に制約を設けることなく、通気を行うことが可能な自動通気包装袋を提供する。
【課題を解決するための手段】
【００１０】
すなわち、請求項１の発明は、袋状本体を構成する上面部と下面部との間の中間部に自動通気部を設けた包装袋であって、前記自動通気部は、単一のフィルムによって折り重ねられた第１辺部及び第２辺部からなる折重ね部を有し、前記折重ね部を閉塞する封止部材が配置されていると共に、前記第１辺部及び第２辺部ならびに封止部材は一体にヒートシールされて折重ねヒートシール部を成し、前記折重ねヒートシール部を貫通する通気孔が穿設されていることを特徴とする自動通気包装袋に係る。
【００１１】
請求項２の発明は、袋状本体を構成する上面部と下面部との間の中間部に自動通気部を設けた包装袋であって、前記自動通気部は、単一のフィルムからなると共に、外第１辺部及び内第１辺部からなる第１辺部と外第２辺部及び内第２辺部からなる第２辺部により形成され、前記上面部側から前記下面部側に向けて順に前記外第１辺部、前記内第１辺部、前記内第２辺部、前記外第２辺部とする断面視略Ｗ字形状を成して折り重ねられ、前記内第１辺部及び前記内第２辺部からなる折重ね部を有しており、前記折重ね部を閉塞する封止部材が配置されていると共に、前記内第１辺部及び前記内第２辺部ならびに封止部材は一体にヒートシールされて折重ねヒートシール部を成し、前記折重ねヒートシール部を貫通する通気孔が穿設され、前記折重ねヒートシール部は前記上面部と前記下面部との間に折り込みヒートシール部によりヒートシールされていることを特徴とする自動通気包装袋に係る。
【００１２】
請求項３の発明は、前記折り込みヒートシール部の近傍の前記折重ねヒートシール部に切取り部が設けられている請求項２に記載の自動通気包装袋に係る。
【００１３】
請求項４の発明は、前記折り込みヒートシール部には、前記折重ねヒートシール部方向に伸長する補強ヒートシール部が設けられている請求項２又は３に記載の自動通気包装袋に係る。
【００１４】
請求項５の発明は、前記上面部及び前記下面部と前記中間部が単一のフィルムからなる請求項１ないし４のいずれか１項に記載の自動通気包装袋に係る。
【００１５】
請求項６の発明は、前記上面部と、前記下面部と、前記中間部が別体のフィルムから形成され、前記上面部及び前記中間部ならびに前記下面部及び前記中間部がヒートシールされて一体化されている請求項１ないし４のいずれか１項に記載の自動通気包装袋に係る。
【００１６】
請求項７の発明は、前記封止部材がイージーピール性樹脂フィルムである請求項１ないし６のいずれか１項に記載の自動通気包装袋に係る。
【００１７】
請求項８の発明は、前記通気孔を穿設する位置が、前記包装袋内の内容物の加熱時間に応じて前記折重ねヒートシール部内で規定される請求項１ないし７のいずれか１項に記載の自動通気包装袋に係る。
【発明の効果】
【００１８】
請求項１の発明に係る自動通気包装袋によると、袋状本体を構成する上面部と下面部との間の中間部に自動通気部を設けた包装袋であって、前記自動通気部は、単一のフィルムによって折り重ねられた第１辺部及び第２辺部からなる折重ね部を有し、前記折重ね部を閉塞する封止部材が配置されていると共に、前記第１辺部及び第２辺部ならびに封止部材は一体にヒートシールされて折重ねヒートシール部を成し、前記折重ねヒートシール部を貫通する通気孔が穿設されているため、包装袋を載置する際、当該包装袋における自動通気部の位置（上下関係）についての制約が課されることなく通気が可能であり、包装袋の過度な膨張、破裂を防止することができる。
【００１９】
請求項２の発明に係る自動通気包装袋によると、袋状本体を構成する上面部と下面部との間の中間部に自動通気部を設けた包装袋であって、前記自動通気部は、単一のフィルムからなると共に、外第１辺部及び内第１辺部からなる第１辺部と外第２辺部及び内第２辺部からなる第２辺部により形成され、前記上面部側から前記下面部側に向けて順に前記外第１辺部、前記内第１辺部、前記内第２辺部、前記外第２辺部とする断面視略Ｗ字形状を成して折り重ねられ、前記内第１辺部及び前記内第２辺部からなる折重ね部を有しており、前記折重ね部を閉塞する封止部材が配置されていると共に、前記内第１辺部及び前記内第２辺部ならびに封止部材は一体にヒートシールされて折重ねヒートシール部を成し、前記折重ねヒートシール部を貫通する通気孔が穿設され、前記折重ねヒートシール部は前記上面部と前記下面部との間に折り込みヒートシール部によりヒートシールされているため、包装袋を載置する際、当該包装袋における自動通気部の位置（上下関係）についての制約が課されることなく通気が可能であり、包装袋の過度な膨張、破裂を防止することができる。
【００２０】
加えて、請求項２の発明に係る自動通気包装袋では、その中間部は断面視略Ｗ字形状を保持しながら包装袋の内部側に折り込まれヒートシール固定されているため、中間部に当たる自動通気部は常に上面部と下面部との間の中央に位置すると共に、上面部側または下面部側に折り込まれるおそれもなくなる。
【００２１】
請求項３の発明に係る自動通気包装袋によると、請求項２において、前記折り込みヒートシール部の近傍の前記折重ねヒートシール部に切取り部が設けられているため、包装袋の膨張に伴い、上面部あるいは下面部のいずれか一方の側に折重ねヒートシール部は反れ易くなり、自動通気包装袋の上面部と下面部との間（上下方向）での膨張は容易となる。そこで、発生する水蒸気を自動通気部の通気孔付近に集中させ易くすることができる。
【００２２】
請求項４の発明に係る自動通気包装袋によると、請求項２又は３において、前記折り込みヒートシール部には、前記折重ねヒートシール部方向に伸長する補強ヒートシール部が設けられているため、補強ヒートシール部付近における上面部と下面部との密着性が高まり、発生する水蒸気を折重ねヒートシール部の通気孔付近に集中させることができる。
【００２３】
請求項５の発明に係る自動通気包装袋によると、請求項１ないし４のいずれか１項において、前記上面部及び前記下面部と前記中間部が単一のフィルムからなるため、中間部を形成しながらの製袋が簡便となる。
【００２４】
請求項６の発明に係る自動通気包装袋によると、請求項１ないし４のいずれか１項において、前記上面部と、前記下面部と、前記中間部が別体のフィルムから形成され、前記上面部及び前記中間部ならびに前記下面部及び前記中間部がヒートシールされて一体化されているため、上面部もしくは下面部に予め別々に印刷を施し、事後的に製袋することが可能であり、袋状本体に対する印刷の利便性が高められる。
【００２５】
請求項７の発明に係る自動通気包装袋によると、請求項１ないし６のいずれか１項において、前記封止部材がイージーピール性樹脂フィルムであるため、良好なヒートシール性を維持しながら自動通気をより容易とすることができる。
【００２６】
請求項８の発明に係る自動通気包装袋によると、請求項１ないし７のいずれか１項において、前記通気孔を穿設する位置が、前記包装袋内の内容物の加熱時間に応じて前記折重ねヒートシール部内で規定されるため、内容物に応じて最適な加熱時間を制御しながら設定することができ、しかも技術的上、設備・コスト上極めて簡便に設計可能である。
【発明を実施するための最良の形態】
【００２７】
以下添付の図面に従って本発明を説明する。
図１は第１実施例の自動通気包装袋の全体斜視図、図２は図１の主要断面模式図、図３は第２実施例の自動通気包装袋の全体斜視図、図４は図３の主要断面模式図、図５は図３の膨張中の主要断面模式図、図６は図３の自動通気時の主要断面模式図、図７は第３実施例の自動通気包装袋の全体斜視図、図８は図７の主要上面模式図、図９は第３実施例の膨張中の全体斜視図、図１０は第４実施例の自動通気包装袋の全体斜視図、図１１は図１０の主要上面模式図、図１２は第４実施例における膨張中の模式図及び水蒸気の圧力を示す概念図、図１３は第２実施例における膨張中の模式図及び水蒸気の圧力を示す概念図、図１４は第５実施例の自動通気包装袋の主要断面模式図、図１５は通気孔の位置関係を示す模式図である。
【００２８】
図１及び図２を用い、第１実施例に係る自動通気包装袋１を説明する。これは、請求項１の発明に規定するように、自動通気包装袋１では、袋状本体１０を構成する上面部１１と下面部１２との間に中間部１３が設けられ、この中間部１３に自動通気部２０が設けられている。
【００２９】
図示から理解され、また、請求項５の発明に規定するように、自動通気包装袋１によると、上面部１１及び下面部１２と中間部１３とは、単一のフィルム１０Ｆからなる。実施例の自動通気包装袋１では単一のフィルム１０Ｆが折り曲げられてヒートシールされることにより（側辺ヒートシール部３２，３２）、袋状に製袋される。このように単一のフィルムによる製袋とするため、中間部１３を形成しながらの製袋が簡便である。そこで内部に主に食品等の内容物Ｃが封入され、当該包装袋の開口部のヒートシール（封止ヒートシール部３４）により密封される。
【００３０】
フィルム１０Ｆは、ポリプロピレンフィルム、ポリアミドフィルム、ポリエステルフィルム、エチレン−ビニルアルコール共重合体等からなる二軸延伸フイルム、酸化アルミ蒸着二軸延伸ポリエステルフイルム、シリカ蒸着二軸延伸ポリエステルフイルム、ポリメタキシリレンアジパミド系ポリアミド延伸フイルム、あるいは、これらと６−ナイロンとの共押出し積層フイルム等の電子レンジ（高周波レンジ）に対応可能な耐熱フィルムが例示され、通常、列記のフィルムは、２層または３層以上に複合化（複層化）されて用いられる。その上で、これらの複合フィルムは内容物の特性、加熱時間、流通経路、流通形態等を適式に勘案することにより適宜選択される。例えば、ポリプロピレンフィルムでは、東レフィルム加工株式会社製ＺＫ９３ＫＭ等が利用され、ポリメタキシリレンアジパミド系ポリアミド延伸フイルムでは、三菱樹脂株式会社製ＳＰ−Ｒ等が利用される。
【００３１】
前記の自動通気部２０は、中間部１３に設けられており、前記の単一のフィルム１０Ｆによって折り重ねられた第１辺部２１及び第２辺部２２からなる折重ね部２３を有する。この折重ね部２３に介装されて第１辺部２１及び第２辺部２２を閉塞する封止部材４０が配置される。第１辺部２１及び第２辺部２２ならびに封止部材４０は、一体にヒートシールされて熱融着する。つまり、折重ねヒートシール部３１が形成される。第１辺部２１と封止部材４０との間に融着部１０１、第２辺部２２と封止部材４０との間に融着部１０２が形成される。このように一体にヒートシールされた折重ね部２３（折重ねヒートシール部３１）に、同折重ね部２３を貫通する通気孔２５が穿設される。
【００３２】
上記の封止部材４０とは、請求項７の発明に規定するように、イージーピール性樹脂フィルム（もしくは、イージーオープン性樹脂フィルム）であり、表面に凝集破壊層を有するポリプロピレン共押出しフィルム、あるいはポリエチレン共押出しフィルム等のフィルムが例示される。
【００３３】
前記のイージーピール性樹脂フィルムは、内容物のヒートシール強度、イージーピール性（所定条件下における剥離の容易性）、加熱時間等を適式に勘案することにより選択される。このような、凝集破壊性または層間破壊性を有するポリプロピレン共押出しフィルム、ポリエチレン共押出しフィルム等のイージーピール性樹脂フィルムとして、例えば、東レフィルム加工株式会社製９５０１Ｅ、東セロ株式会社製ＣＭＰＳ０２２Ｃ等が利用可能である。
【００３４】
第１実施例の自動通気包装袋１によると、既存の包装袋に対応させたヒートシーラー（ヒートシール装置）を用いて自動通気部（折重ねヒートシール部）を有する三方シールが可能となる。また、自動通気部の位置は内容物の充填の抵抗となることはなく、包装袋自体の内容量を減少させることもない。従って、設備の改良も少なく、生産性を維持し続けることができる。
【００３５】
とりわけ、第１実施例に係る自動通気包装袋１にみられる自動通気部の構造によると、単一のフィルムを折り曲げた折重ね部のみに封止部材を配置し、通気孔を穿設している。このため、袋状本体自体をイージーピール性樹脂フィルムとする必要がなくなり、結果として安価となる。さらに、後述するように内容物の加熱により発生する水蒸気が折重ねヒートシール部に達したとしても、水蒸気が単一のフィルムを折り曲げた折重ねヒートシール部のフィルム自体を突き破って包装袋から漏れ出すおそれはなく、適切に水蒸気を通気孔に誘導することができる。つまり、自動通気包装袋の破裂を防止することができる。
【００３６】
図３ないし図６を用い、第２実施例に係る自動通気包装袋１Ｂを説明する。自動通気包装袋１Ｂも同様に、請求項２の発明として規定するように、袋状本体１０を構成する上面部１１と下面部１２との間に中間部１３Ｂが設けられ、この中間部１３Ｂに自動通気部２０Ｂが設けられている。
【００３７】
自動通気包装袋１Ｂの自動通気部２０Ｂも前記の第１実施例と同じく単一のフィルム１０Ｆによって折り重ねられた第１辺部２１及び第２辺部２２からなる折重ね部を有している。自動通気包装袋１Ｂにおいて、第１辺部２１及び第２辺部２２はさらに細分化されている。上面部１１側から下面部１２側に向けて順に、外第１辺部２１１，内第１辺部２１２，内第２辺部２２２，外第２辺部２２１となり、断面視略Ｗ字形状を成している。第１辺部２１は外第１辺部２１１及び内第１辺部２１２から構成され、第２辺部２２は内第２辺部２２２及び外第２辺部２２１から構成される。
【００３８】
前記の単一のフィルム１０Ｆによって折り重ねられた内第１辺部２１２及び内第２辺部２２２からなる折重ね部２４に封止部材４０は介装される。内第１辺部２１２及び内第２辺部２２２は封止部材４０の配置により閉塞される。内第１辺部２１２及び内第２辺部２２２ならびに封止部材４０は、一体にヒートシールされて熱融着する。つまり、折重ねヒートシール部３１Ｂが形成される。内第１辺部２１２と封止部材４０との間に融着部１１１、内第２辺部２２２と封止部材４０との間に融着部１１２が形成される。このように一体にヒートシールされた折重ね部２４（つまり、折重ねヒートシール部３１Ｂ）に、同折重ねヒートシール部３１Ｂを貫通する通気孔２５が穿設される。
【００３９】
こうして得られた自動通気部２０Ｂは、図４等から自明なとおり、包装袋の内部１０ｉ側に押し込まれることにより断面視略Ｗ字形状の中間部１３Ｂが形成される。続いて、上面部１１及び下面部１２はヒートシールされる（側辺ヒートシール部３２，３２）と共に、断面視略Ｗ字形状の中間部１３Ｂ（折重ねヒートシール部３１Ｂ）も上面部１１と下面部１２との間に挟み込まれ、折り込みヒートシール部３５，３５によりヒートシールされ。以上より、フィルム１０Ｆは袋状に製袋される。そこで内部に主に食品等の内容物Ｃが封入され、当該包装袋の開口部のヒートシール（封止ヒートシール部３４）により密封される。
【００４０】
本発明の自動通気包装袋における膨張と自動通気の機構について、自動通気包装袋１Ｂを一例として図４ないし図６を用い説明する。
【００４１】
図４は電子レンジ（高周波レンジ）調理を行う前の状態を示す。当然ながら、内第１辺部２１２及び内第２辺部２２２ならびに封止部材４０は、一体にヒートシールされている。
【００４２】
図５に示すとおり、電子レンジ（図示せず）に搬入して加熱し始めると、食品等の内容物Ｃに含まれている水分が蒸発し始め、水蒸気は自動通気包装袋１Ｂ内（包装袋の内部１０ｉ）に充満し、包装袋自体も膨張する。包装袋自体の膨張が限度となるとき、包装袋の内部から水蒸気Ｖｐは第１辺部２１２と封止部材４０との融着部１１１、あるいは内第２辺部２２２と封止部材４０との融着部１１２に作用する。次第に水蒸気Ｖｐにより、融着部１１１、融着部１１２の剥離が始まる。
【００４３】
図６に示すとおり、水蒸気Ｖｐの圧力を受けて、ついに融着部（図示では融着部１１２）が剥離し、折重ね部２４（折重ねヒートシール部３１Ｂ）に穿設された通気孔２５と包装袋の内部１０ｉがつながる。そうすると、包装袋の内部１０ｉに充満していた水蒸気は、剥離した融着部１１２、通気孔２５を経由して、包装袋の外部へ流出する。すなわち、封止部材４０の剥離により、包装袋の内部１０ｉに充満していた水蒸気は自動的に排気され、包装袋自体の過度の膨張、破裂が回避される。
【００４４】
実施例の封止部材４０にあっては、前掲のとおり凝集破壊性もしくは層間破壊性のイージーピール性樹脂フィルムとされている。そこで、ヒートシールされた後の剥離面の安定性等を勘案すると、凝集破壊性のイージーピール性樹脂フィルムがより好適とされる。
【００４５】
第２実施例の自動通気包装袋１Ｂによると、前記の第１実施例とほぼ同様に、充填の利便性、折重ね部（折重ねヒートシール部）の強靱さ等の利点を具備することができる。さらに加えると、第２実施例の自動通気包装袋１Ｂにあっては、断面視略Ｗ字形状を保持しながら中間部１３Ｂは包装袋の内部側に折り込まれ、ヒートシール固定（折り込みヒートシール部３５，３５による融着固定）されて製袋されている。つまり、自動通気部２０Ｂ（折重ねヒートシール部３１Ｂ）は、常に上面部１１及び下面部１２の間の中央に位置する。同時に、自動通気部２０Ｂ（折重ねヒートシール部３１Ｂ）は折り曲げられて上面部１１側または下面部１２側に折り込まれるおそれはない。従って、包装袋の内部に充満した水蒸気は、確実に自動通気部２０Ｂ（折重ねヒートシール部３１Ｂ）に向かい、封止部材４０を剥離させながら通気孔２５から排気される。
【００４６】
図７ないし図９を用い、第３実施例の自動通気包装袋１Ｃを説明する。当該自動通気包装袋は、図７に示し、請求項３の発明として規定するように、折り込みヒートシール部３５の近傍に当たる折重ねヒートシール部３１Ｂ（折重ね部２４）に、切取り部２６が設けられている。
【００４７】
より詳しく述べると、図８に示すとおり、折重ねヒートシール部３１Ｂ（折重ね部２４）は、側辺ヒートシール部３２，３２のうち特に折り込みヒートシール部３５，３５によりヒートシールされている。図中、斜線が付されている部分はヒートシールされている部位を表す。そこで、折重ねヒートシール部３１Ｂにおいて、折り込みヒートシール部３５，３５から通気孔２５の向きにほぼ斜めに折重ねヒートシール部を切り取ることによって、切取り部２６が設けられている。また、切取り部２６により幅が狭められた折重ねヒートシール部は端部２８である。
【００４８】
切取り部の作用について、図９を用い説明する。第３実施例の自動通気包装袋１Ｃによると、電子レンジ（高周波レンジ）調理を行うと当然ながら包装袋自体は膨張する。図示のとおり、包装袋の中間部１３Ｂに当たる折重ねヒートシール部３１Ｂ（折重ね部２４）は切取り部２６を有するため、端部２８付近で折り込みヒートシール部３５，３５による密着の影響が緩和される。包装袋の膨張に伴い、上面部１１あるいは下面部１２のいずれか一方の側に端部２８付近から折重ねヒートシール部は反れ易くなる。図示は上面部１１に反り上がった状態である。
【００４９】
そこで、折重ねヒートシール部３１Ｂ（折重ね部２４）は外第１辺部２１１に張り付くようにして略Ｖ字状の折れ曲がりを成す（図示では逆Ｖ字状である。）。このため、側辺ヒートシール部３２，３２、折り込みヒートシール部３５，３５等の密着を維持したまま、自動通気包装袋の上面部１１と下面部１２との間（上下方向）の膨張は容易となる。よって、発生する水蒸気を自動通気部２０Ｂの通気孔２５に集中させ易くすることができる。なお、切取り部２６の形状、大きさ等は上記の機能を確保できる限りにおいて適宜である。
【００５０】
図１０ないし図１２を用い、第４実施例の自動通気包装袋１Ｄを説明する。当該自動通気包装袋は、図１０及び図１１に示し、請求項４の発明として規定するように、折り込みヒートシール部３５，３５には、折重ねヒートシール部３１Ｂの長手方向（Ｊ１）と同一方向に伸長する方向（Ｊ２）を成して形成された補強ヒートシール部３９，３９が設けられている。実施例では、補強ヒートシール部３９，３９を三角形状としてその一の辺を切取り部２６とほぼ平行としているが、折重ねヒートシール部方向に伸長する限り、特段、補強ヒートシール部の形状は限定されない。また、折り込みヒートシール部と補強ヒートシール部が間隔を空けて設けられていてもよい。
【００５１】
補強ヒートシール部の作用について、図１２及びその比較となる図１３を用い説明する。図１２（ａ）は自動通気包装袋１Ｄの膨張中（調理時）の模式図である。ちょうど包装袋内に水蒸気が充満している状態である。このとき、図１２（ｂ）の水蒸気の圧力を示す概念図から理解されるように、水蒸気Ｖｐの発生に伴う膨張の影響が及ぶ範囲は、図示の範囲Ｚ１と想定される。
【００５２】
すなわち、補強ヒートシール部３９，３９を折り込みヒートシール部３５，３５に設けることにより、当該折り込みヒートシール部３５，３５、側辺ヒートシール部３２，３２、端部２８，２８付近における上面部１１と下面部１２との密着性が高まる。包装袋の内部１０ｉで発生する水蒸気Ｖｐは端部２８，２８付近にまで及び難くなり、ヒートシールされている周囲（図中の斜線部分参照）から範囲Ｚ１にまで後退すると考えられる。図示から理解されるように、水蒸気Ｖｐは、補強ヒートシール部３９，３９による密着の影響から遠い折重ねヒートシール部３１Ｂ（折重ね部２４）の通気孔２５付近に集中することにより、水蒸気の到達が最短となる。
【００５３】
比較のために、図１３にて前出の自動通気包装袋１Ｃを示す。図１３（ａ）は膨張中（調理時）の模式図であり、図１３（ｂ）は水蒸気の圧力を示す概念図である。この包装袋では補強ヒートシール部が設けられていないため、包装袋の内部１０ｉで発生する水蒸気Ｖｐは端部２８，２８付近にまで及ぶものと考えられる。ゆえに、水蒸気Ｖｐの発生に伴う膨張の影響が及ぶ範囲は、図示の範囲Ｚ２と想定される。これより、図１２の自動通気包装袋１Ｄとの比較から、発生する水蒸気Ｖｐの圧力は包装袋の内部１０ｉで分散され、折重ねヒートシール部３１Ｂ（折重ね部２４）の通気孔２５に到達するまでに多少時間がかかると考えられる。
【００５４】
補強ヒートシール部の作用は上記のとおりである。そこで、補強ヒートシール部は、内容物の加熱時間、発生水蒸気量、フィルム同士のヒートシール強度の調整、封止部材（イージーピール性樹脂フィルム）の選択等により、必要に応じて設けられる。
【００５５】
図１４を用い、第５実施例の自動通気包装袋１Ｅを説明する。自動通気包装袋１Ｅも同様に、袋状本体１０を構成する上面部１１と下面部１２との間に中間部１３Ｅが設けられ、この中間部１３Ｅに自動通気部２０Ｅが設けられている。第５実施例に係る自動通気包装袋１Ｅにおいて、中間部を第２実施例と共通の断面視略Ｗ字形状とした。
【００５６】
図示から理解され、請求項６の発明として規定するように、上面部１１と、下面部１２と、中間部１３Ｅとは別体のフィルムから形成されている。上面部１１はフィルム１０Ｆｐ、下面部１２はフィルム１０Ｆｑ、中間部１３Ｅはフィルム１０Ｆｒである。そこで、上面部１１（フィルム１０Ｆｐ）及び中間部１３Ｅ（フィルム１０Ｆｒ）は上面ヒートシール部３６を介してヒートシールされ、併せて、下面部１２（フィルム１０Ｆｑ）及び中間部１３（フィルム１０Ｆｒ）も下面ヒートシール部３７を介してヒートシールされ、上面部１１、下面部１２、及び中間部１３Ｅは一体化されている。
【００５７】
図示の自動通気部２０Ｅにおける通気の機構は、既に述べた自動通気部２０Ｂと同様であるため、その説明を省略する。第３実施例のとおり別体のフィルムをヒートシールする構造とすると、例えば、上面部１１もしくは下面部１２に予め別々に印刷を施し、事後的に製袋することが可能である。このため、袋状本体に対する印刷の利便性が高められる。あるいは、上面部１１、下面部１２、及び中間部１３Ｅを異なる種類のフィルムとして製袋することも可能である。
【００５８】
折重ねヒートシール部（折重ね部）に穿設される通気孔の位置関係について、請求項８の発明として規定するように、通気孔２５が穿節される位置は、包装袋内に内包されている内容物Ｃの加熱時間に応じて、一体にヒートシールされた折重ね部内、つまり折重ねヒートシール部内で規定される。この位置関係について、図１５を用い説明する。図１５は前記した自動通気包装袋１Ｂにおける通気孔の主要部分を模式的に表現したものである。
【００５９】
例えば、内容物がスープ、ソース、たれ類等の水分含量の高い食品（食材も含む。）、あるいは加熱調理に時間を要する食品（電子レンジにおける加熱設定時間が長い食品）である場合、食品の調理時に発生する水蒸気量は多くなるものと想定される。そこで、図１５（ａ）に示すとおり、一体にヒートシールされた折重ね部２４（折重ねヒートシール部３１Ｂ）内の通気孔２５ａと融着部１１１（１１２）の境界との距離Ｄ１を近くすることが望ましい。
【００６０】
すなわち、水蒸気Ｖｐの進行の抵抗となる融着部の長さ（通気孔２５ａまでの距離Ｄ１）は短いため、折重ね部２４内の剥離部分Ｒａ１は小さくなり、比較的短時間で水蒸気は通気孔２５ａに達することができる。従って、包装袋の内部１０ｉに大量の水蒸気が充満するような場合であっても、早期に水蒸気の排気を行うことが可能であり、包装袋の過度の膨張、破裂等を防ぐことができる。
【００６１】
また、例えば、内容物が点心（焼売、饅頭等）をはじめとする各種の蒸らし調理を要する食品である場合、包装袋の内部１０ｉにできる限り水蒸気を充満させておくことが食品の風味上好ましいとされる。そこで、図１５（ｂ）に示すとおり、一体にヒートシールされた折重ね部２４（折重ねヒートシール部３１Ｂ）内の通気孔２５ｂと融着部１１１（１１２）の境界との距離Ｄ２を遠くすることが望ましい。
【００６２】
すなわち、水蒸気Ｖｐの進行の抵抗となる融着部の長さ（通気孔２５ｂまでの距離Ｄ２）は長くなるため、折重ね部２４内の剥離部分Ｒａ２はより大く必要とされ、比較的時間要しながら水蒸気は通気孔２５ｂに達することとなる。従って、蒸らし調理を要する食品の加熱に対しても適用可能である。
【００６３】
従前、包装袋内の内容物の加熱時間に対応させて自動通気を行おうとするならば、フィルム同士のヒートシール強度の調整、封止部材（イージーピール性樹脂フィルム）の選択、ヒートシーラー（ヒートシール装置）における設定条件（加熱温度、部品の交換）の変更等によらなければならなかった。そのため、包装袋内に封入される種々の食品毎に、水蒸気排気までの時間を細かく制御しつつ設定することは、技術的上、設備・コスト上困難とされてきた。
【００６４】
しかしながら、本発明のとおり、通気孔の位置の調整のみにより水蒸気排気までの時間を制御して設定できる。このため、個々の食品（食材）に応じて美味しさが最適な加熱調理時間を制御して設定でき、しかも技術的上、設備・コスト上極めて簡便に設計可能である。
【００６５】
以上のとおり詳述した各図において、共通箇所は同一符号とし、その説明を省略する。なお、本発明の趣旨を逸脱しない限りにおいて、各部の構成の一部を適宜変更して実施することも可能である。また、折重ねヒートシール部に形成される通気孔の大きさ、個数、形状においても好適に設定することができる。例えば、各実施例の通気孔は半円形であり円弧側が自動通気包装袋の外側を向いている。これに代えて半円形の通気孔の円弧側を自動通気包装袋の内部側に向けてもよい。さらに、通気孔の位置を互いにずらして２個の通気口を折重ねヒートシール部に設けること等も可能である。
【図面の簡単な説明】
【００６６】
【図１】第１実施例の自動通気包装袋の全体斜視図である。
【図２】図１の主要断面模式図である。
【図３】第２実施例の自動通気包装袋の全体斜視図である。
【図４】図３の主要断面模式図である。
【図５】図３の膨張中の主要断面模式図である。
【図６】図３の自動通気時の主要断面模式図である。
【図７】第３実施例の自動通気包装袋の全体斜視図である。
【図８】図７の主要上面模式図である。
【図９】第３実施例の膨張中の全体斜視図である。
【図１０】第４実施例の自動通気包装袋の全体斜視図である。
【図１１】図１０の主要上面模式図である。
【図１２】第４実施例における膨張中の模式図及び水蒸気の圧力を示す概念図である。
【図１３】第２実施例における膨張中の模式図及び水蒸気の圧力を示す概念図である。
【図１４】第５実施例の自動通気包装袋の主要断面模式図である。
【図１５】通気孔の位置関係を示す模式図である。
【図１６】従来の自動通気包装袋の断面図である。
【図１７】従来の別例に係る自動通気包装袋の主要断面模式図である。
【符号の説明】
【００６７】
１，１Ｂ，１Ｃ，１Ｄ，１Ｅ  自動通気包装袋
１０  袋状本体
１０Ｆ  フィルム
１１  上面部
１２  下面部
１３，１３Ｂ，１３Ｅ  中間部
２０，２０Ｂ，２０Ｅ  自動通気部
２１  第１辺部
２２  第２辺部
２３，２４  折重ね部
２５，２５ａ，２５ｂ  通気孔
２６  切取り部
２８  端部
３１，３１Ｂ，３１Ｅ  折重ねヒートシール部
３５  折り込みヒートシール部
３６  上面ヒートシール部
３７  下面ヒートシール部
３９  補強ヒートシール部
４０  封止部材
２１１  外第１辺部
２１２  内第１辺部
２２１  外第２辺部
２２２  内第２辺部
Ｃ  内容物
Ｒａ１，Ｒａ２  剥離部分
【図１】
2006199373.tif 000003
【図２】
2006199373.tif 000004
【図３】
2006199373.tif 000005
【図４】
2006199373.tif 000006
【図５】
2006199373.tif 000007
【図６】
2006199373.tif 000008
【図７】
2006199373.tif 000009
【図８】
2006199373.tif 000010
【図９】
2006199373.tif 000011
【図１０】
2006199373.tif 000012
【図１１】
2006199373.tif 000013
【図１２】
2006199373.tif 000014
【図１３】
2006199373.tif 000015
【図１４】
2006199373.tif 000016
【図１５】
2006199373.tif 000017
【図１６】
2006199373.tif 000018
【図１７】
2006199373.tif 000019